(57)【要約】【課題】コンパクト化と省エネルギー化を実現し、かつ製造コストを低減し得る真空包装器を提供する。【解決手段】本体に対する押圧ハンドルの押圧状態を保持するロック手段を、押圧ハンドルの下面の左右両側位置から夫々下方に突設された左右のロック杆１４と、各ロック杆１４に対応する本体の上面位置に夫々配設され、ロック杆１４が押し込まれる毎に、該ロック杆１４を係止する係止状態と、該ロック杆１４の係止を解除する解除状態とに順に変換される動作を生じる左右のロック杆受け具１５とによって構成した。これにより、従来の電磁マグネットを配設する場合に比して、ロック杆受け具１５を小スペースで配設することができ、また、該ロック杆受け具１５を無電力で動作させることができるので、真空包装器のコンパクト化と省エネルギー化が実現され、製造コストも低減する。【選択図】図３
0003166827.tif 000002
【実用新案登録請求の範囲】
【請求項１】
前縁部上面に横幅方向に沿う被押圧部とヒーター線とが設けられた本体と、該本体に上下方向に回動可能に枢結されて、前記被押圧部とヒーター線とに夫々弾接可能なクッション部材が下面に設けられた押圧ハンドルと、本体の内部に配設された真空ポンプと連通され、かつ前記被押圧部を越えて前方に突出される進退可能な吸気ノズルと、本体に対する押圧ハンドルの押圧状態を保持するロック手段とを備えた真空包装器において、
前記ロック手段が、
前記押圧ハンドルの下面の左右両側位置から夫々下方に突設された左右のロック杆と、
各ロック杆に対応する本体の上面位置に夫々配設され、ロック杆が押し込まれる毎に、該ロック杆を係止する係止状態と、該ロック杆の係止を解除する解除状態とに順に変換される動作を生じる左右のロック杆受け具と
からなるものであることを特徴とする真空包装器。
【請求項２】
各ロック杆は、その先端に、下部から上部外方に傾斜する傾斜面と、該傾斜面の上端から内方に連成された係合面とからなる鉤部を備える一方、
各ロック杆受け具は、
上部に広幅の挿入口を備え、かつ下部が挿入口から内方に下方傾斜する押圧傾斜面を介して狭幅となる上下方向の摺動孔を備えた外郭ケースと、
該外郭ケースの摺動孔内に上下動可能に収納され、下動時に前記押圧傾斜面に連続する摺動孔の下部の一内側面に押圧されてロック杆の鉤部に係合される弾性鉤状片を備えた摺動子と、
該摺動子の下部と外郭ケースの内底部間に介装されて摺動子を常時上方向に付勢する付勢部材と、
前記摺動子の側面に形成され、上部位置に下方に窪む係止凹部が設けられた所定形状のカム溝と、該カム溝内を摺動子の上下動に伴って相対的に移動する係合ピンとからなり、摺動子が下動する毎に、カム溝の係止凹部に係合ピンが係止されて摺動子を上動不能に保持するロック状態と、係止凹部から係合ピンが外れて摺動子を上動可能とする非ロック状態とを交互に生じるカム機構と
を備えていることを特徴とする請求項１記載の真空包装器。
【請求項３】
各ロック杆受け具が前後方向に摺動可能に設けられるとともに、常時は一方向に偏倚するように付勢される一方、各ロック杆受け具の偏倚方向と反対側にマイクロスイッチが夫々配設されてなり、各ロック杆受け具にロック杆が押し込まれると該ロック杆に押圧されて各ロック杆受け具が偏倚方向と反対方向に移動して、各マイクロスイッチをＯＮ作動させるように設けられていることを特徴とする請求項１又は請求項２記載の真空包装器。
【考案の詳細な説明】
【技術分野】
【０００１】
本考案は、プラスチックフィルム製の真空包装用袋（以下、これを「真空袋」と称する。）内の空気を脱気した後、該真空袋の開口部を溶着して封止する真空包装器に関する。
【背景技術】
【０００２】
真空袋に食品等の被包装物を収納し、真空状態で保存し得るようにするために、被包装物を収納した真空袋内の空気を脱気した後、該真空袋の開口部を溶着して封止する卓上式の真空包装器が知られている（例えば、特許文献１，２参照）。
【０００３】
この種の真空包装器にあって、前縁部上面に横幅方向に沿う被押圧部とヒーター線とが設けられた本体と、該本体に上下方向に回動可能に枢結されて、前記被押圧部とヒーター線とに夫々弾接可能なクッション部材が下面に設けられた押圧ハンドルと、本体の内部に配設された真空ポンプと連通され、かつ前記被押圧部を越えて前方に突出される進退可能な吸気ノズルと、本体に対する押圧ハンドルの押圧状態を保持するロック手段とを備えたものがある。
【０００４】
かかる真空包装器は、食品等の被包装物を収納した真空袋に開口部から吸気ノズルを挿入した状態で、該開口部を本体の前縁部上面に載置し、次いで押圧ハンドルを下方に回動させて真空袋を介して本体の前縁部上面に押圧し、該前縁部上面の被押圧部と押圧ハンドル下面のクッション部材間に真空袋の開口部を挟持させた状態で、ロック手段によってその押圧状態を保持させると、本体に内蔵された制御装置のシーケンス制御によって、真空ポンプが所定時間駆動されて吸気ノズルから真空袋内の空気が吸引され、次いで吸気ノズルが後退駆動されて真空袋の開口部から引き抜かれた後、ヒーター線に所定時間通電されることにより、真空袋の開口部を溶着して封止する一連の動作を実行するように構成されている。
【先行技術文献】
【特許文献】
【０００５】
【特許文献１】実公平２−４２５６５号公報
【特許文献２】特開２００３−４０２１４号公報
【考案の概要】
【考案が解決しようとする課題】
【０００６】
上記のように、吸気ノズルによる真空袋内の脱気過程及びヒーター線による開口部の溶着過程にあっては、真空袋内に外気が逆流しないように、真空袋の開口部を本体上面の被押圧部と押圧ハンドル下面のクッション部材とによって挟持する状態を維持するために、ロック手段によって本体に対する押圧ハンドルの押圧状態を保持しているのであるが、真空袋の開口部の挟持状態を保持するには大きな保持力が必要であるため、従来のロック手段には、多くの場合、電磁マグネットによる吸着式のロック手段が用いられていた。これは、本体上面の左右両側に電磁マグネットを夫々配設する一方、各電磁マグネットに対応する押圧ハンドルの下面に鉄等の強磁性体を配設したものである。
【０００７】
ところで、電磁マグネットによって大きな吸着力を得るためには、比較的大型の電磁マグネットを用いる必要がある上、電力消費量も多く、これが真空包装器のコンパクト化と省エネルギー化の障害となっていた。また、二つの電磁マグネットを用いなければならないため、その分製造コストが高いものとなっていた。
【０００８】
本考案は、かかる従来の実状を改善するためになされたものであり、コンパクト化と省エネルギー化を実現し、かつ製造コストを低減し得る真空包装器を提供することを目的とするものである。
【課題を解決するための手段】
【０００９】
本考案は、前縁部上面に横幅方向に沿う被押圧部とヒーター線とが設けられた本体と、該本体に上下方向に回動可能に枢結されて、前記被押圧部とヒーター線とに夫々弾接可能なクッション部材が下面に設けられた押圧ハンドルと、本体の内部に配設された真空ポンプと連通され、かつ前記被押圧部を越えて前方に突出される進退可能な吸気ノズルと、本体に対する押圧ハンドルの押圧状態を保持するロック手段とを備えた真空包装器において、前記ロック手段が、前記押圧ハンドルの下面の左右両側位置から夫々下方に突設された左右のロック杆と、各ロック杆に対応する本体の上面位置に夫々配設され、ロック杆が押し込まれる毎に、該ロック杆を係止する係止状態と、該ロック杆の係止を解除する解除状態とに順に変換される動作を生じる左右のロック杆受け具とからなるものであることを特徴とする真空包装器である。
【００１０】
上記真空包装器にあって、各ロック杆は、その先端に、下部から上部外方に傾斜する傾斜面と、該傾斜面の上端から内方に連成された係合面とからなる鉤部を備える一方、各ロック杆受け具は、上部に広幅の挿入口を備え、かつ下部が挿入口から内方に下方傾斜する押圧傾斜面を介して狭幅となる上下方向の摺動孔を備えた外郭ケースと、該外郭ケースの摺動孔内に上下動可能に収納され、下動時に前記押圧傾斜面に連続する摺動孔の下部の一内側面に押圧されてロック杆の鉤部に係合される弾性鉤状片を備えた摺動子と、該摺動子の下部と外郭ケースの内底部間に介装されて摺動子を常時上方向に付勢する付勢部材と、前記摺動子の側面に形成され、上部位置に下方に窪む係止凹部が設けられた所定形状のカム溝と、該カム溝内を摺動子の上下動に伴って相対的に移動する係合ピンとからなり、摺動子が下動する毎に、カム溝の係止凹部に係合ピンが係止されて摺動子を上動不能に保持するロック状態と、係止凹部から係合ピンが外れて摺動子を上動可能とする非ロック状態とを交互に生じるカム機構とを備えている構成が提案される。
【００１１】
また、各ロック杆受け具が前後方向に摺動可能に設けられるとともに、常時は一方向に偏倚するように付勢される一方、各ロック杆受け具の偏倚方向と反対側にマイクロスイッチが夫々配設されてなり、各ロック杆受け具にロック杆が押し込まれると該ロック杆に押圧されて各ロック杆受け具が偏倚方向と反対方向に移動して、各マイクロスイッチをＯＮ作動させるように設けられている構成が提案される。
【考案の効果】
【００１２】
本考案は、上述したように、押圧ハンドルの押圧状態を保持するロック手段を、押圧ハンドルの下面の左右両側位置から夫々下方に突設された左右のロック杆と、各ロック杆に対応する本体の上面位置に夫々配設され、ロック杆が押し込まれる毎に、該ロック杆を係止する係止状態と、該ロック杆の係止を解除する解除状態とに順に変換される動作を生じる左右のロック杆受け具とによって構成したから、本体に配設されるロック杆受け具を小型化することができ、従来の電磁マグネットを配設する場合に比して、ロック杆受け具を小スペースで配設することができる。また、該ロック杆受け具を無電力で動作させることができる。これにより、真空包装器のコンパクト化と省エネルギー化を実現することができる。また、ロック杆及びロック杆受け具は安価に製作することができるため、電磁マグネットを用いる場合に比して真空包装器の製造コストを低減することができる。
【００１３】
また、前記各ロック杆が、その先端に、下部から上部外方に傾斜する傾斜面と、該傾斜面の上端から内方に連成された係合面とからなる鉤部を備える一方、各ロック杆受け具が、上部に広幅の挿入口を備え、かつ下部が挿入口から内方に下方傾斜する押圧傾斜面を介して狭幅となる上下方向の摺動孔を備えた外郭ケースと、該外郭ケースの摺動孔内に上下動可能に収納され、下動時に前記押圧傾斜面に連続する摺動孔の下部の一内側面に押圧されてロック杆の鉤部に係合される弾性鉤状片を備えた摺動子と、該摺動子の下部と外郭ケースの内底部間に介装されて摺動子を常時上方向に付勢する付勢部材と、前記摺動子の側面に形成され、上部位置に下方に窪む係止凹部が設けられた所定形状のカム溝と、該カム溝内を摺動子の上下動に伴って相対的に移動する係合ピンとからなり、摺動子が下動する毎に、カム溝の係止凹部に係合ピンが係止されて摺動子を上動不能に保持するロック状態と、係止凹部から係合ピンが外れて摺動子を上動可能とする非ロック状態とを交互に生じるカム機構とを備えている構成にあっては、各ロック杆受け具内でロック杆が下方に押し込まれる毎に、摺動子が下動して、該摺動子の弾性鉤状片がロック杆の鉤部に係合されて該ロック杆を係止する係止状態と、弾性鉤状片がロック杆の鉤部から外れて該ロック杆の係止を解除する解除状態とに順に変換される動作を確実に生じさせることができる。
【００１４】
また、各ロック杆受け具が前後方向に摺動可能に設けられるとともに、常時は一方向に偏倚するように付勢される一方、各ロック杆受け具の偏倚方向と反対側にマイクロスイッチが夫々配設されてなり、各ロック杆受け具にロック杆が押し込まれると該ロック杆に押圧されて各ロック杆受け具が偏倚方向と反対方向に移動して、各マイクロスイッチをＯＮ作動させるように設けられている構成にあっては、簡単な構成で各ロック杆受け具の前後方向の摺動によって各マイクロスイッチを自動的にＯＮ／ＯＦＦ作動させることができ、別途複雑なマイクロスイッチの作動機構を設ける必要がないため、これによっても真空包装器のコンパクト化が可能となる。
【図面の簡単な説明】
【００１５】
【図１】押圧ハンドル３を上方に回動させた状態の本考案にかかる真空包装器１の外観斜視図である。
【図２】押圧ハンドル３を下方に回動させた状態の本考案にかかる真空包装器１の外観斜視図である。
【図３】（Ａ）はロック杆１４の係止解除状態を示すロック杆受け具１５の側断面図、（Ｂ）はロック杆１４の係止状態を示すロック杆受け具１５の側断面図である。
【図４】ロック杆受け具１５の分解側断面図である。
【図５】ロック杆受け具１５の縦断背面図である。
【図６】（Ａ）は摺動子２２の一側面に形成されたカム溝２８の作用説明図、（Ｂ）は摺動子２２の他側面に形成されたカム溝２８’の作用説明図である。
【図７】（Ａ）はロック杆受け具１５とマイクロスイッチ４１部分の底面図、（Ｂ）は同部分の斜視図である。
【考案を実施するための形態】
【００１６】
本考案の実施形態を、以下に示す実施例に基づいて説明する。
本考案にかかる真空包装器１は、図１に示すように、矩形筐体状に形成された本体２と略門形に形成された押圧ハンドル３とを備えている。押圧ハンドル３は、その基部が本体２の後部側面に支軸（図示省略）によって枢結されており、これによって上下方向に回動可能となっている。また、該押圧ハンドル３は、前記支軸に巻装されたコイルバネ（図示省略）によって常時上方に回動するように付勢されている。一方、本体２の上面は、その前縁部及び左右側縁部を窪ませることにより、押圧ハンドル３の形状に略一致するように形成されており、これによって、押圧ハンドル３を下方に回動させると、図２に示すように、本体２に押圧ハンドル３が整一に収まるようになっている。
【００１７】
本体２の前縁部上面には、横幅方向に沿う２本の突条４，４と弾性体５とを備えた被押圧部６が設けられており、該被押圧部６の後部側にヒーター線７が並設されている。このヒーター線７上には、上面にフッ素樹脂コーティング等の滑性面を形成した薄膜部材８が被着されており、該薄膜部材８の滑性作用によって、開口部の溶着時に溶融した真空袋の離脱が容易となるようにしている。
【００１８】
本体２の前壁部９の中央位置には、進退可能な吸気ノズル１１が出没するノズル挿通孔１０が開口されている。吸気ノズル１１は駆動機構（図示省略）によって前後方向に進退駆動され、進出時にはノズル挿通孔１０から前記被押圧部６を越えて前方に突出される一方、後退時には本体２内に引き込まれるようになっている。この吸気ノズル１１の後端部は本体２の内部に配設された真空ポンプ（図示省略）と連通されており、該真空ポンプの駆動によって吸気ノズル１１の先端から空気が吸引されるようになっている。
【００１９】
押圧ハンドル３を下方に回動させた状態で下面となる該押圧ハンドル３の前部下面には、前記被押圧部６とヒーター線７とに夫々弾接可能なクッション部材１２ａ，１２ｂが横幅方向に沿って配設されており、また、該押圧ハンドル３の前部下面の左右両側位置には、下方に突出するロック杆１４，１４が左右一対で配設されている。
【００２０】
一方、各ロック杆１４，１４に対応する本体２の前縁部上面の左右両側位置には、ロック杆受け具１５，１５が左右一対で配設されている。このロック杆受け具１５，１５及び前記ロック杆１４，１４は、本考案の要部にかかるものであり、詳しくは後述する。
【００２１】
本体２の上面後部には、真空包装器１の作動態様を設定するための複数のボタンや状態表示ランプを備えたコントロール部１６が設けられており、本体２の側面には電源スイッチ１７が配設されている。また、本体２には、真空包装器１の作動を制御するマイクロコンピュータを備えた制御装置（図示省略）が内蔵されている。
【００２２】
次に本考案の要部について説明する。
ロック杆１４，１４及びロック杆受け具１５，１５は、本体２に対する押圧ハンドル３の押圧状態を保持するロック手段を構成するものであり、ロック杆受け具１５，１５はロック杆１４，１４が押し込まれる毎に、該ロック杆１４，１４を係止する係止状態と、該ロック杆１４，１４の係止を解除する解除状態とに順に変換される動作を生じるものとなっている。
【００２３】
各ロック杆１４は、図３（Ａ）に示すように、その先端に、下部から上部外方に傾斜する傾斜面１９ａと、該傾斜面１９ａの上端から内方に連成された係合面１９ｂとからなる鉤部１８を備えており、該鉤部１８の背面側には下部から上部外方に傾斜する案内傾斜面２０が形成されている。
【００２４】
一方、各ロック杆受け具１５は、図３，図４に示すように、矩形状の外郭ケース２１と該外郭ケース２１内に収納される摺動子２２とを備えている。外郭ケース２１には、上部に広幅の挿入口２４ａが設けられ、かつ下部が、該挿入口２４ａから内方に下方傾斜する押圧傾斜面２４ｂを介して狭幅となる上下方向の摺動孔２３が形成されている。摺動子２２は該摺動孔２３内に上下動可能に収納されており、該摺動子２２には、下動時（図３（Ｂ）参照）に前記押圧傾斜面２４ｂに連続する摺動孔２３の下部の一内側面２４ｃに押圧されてロック杆１４の鉤部１８に係合される弾性鉤状片２５が設けられている。また、摺動子２２の下部と外郭ケース２１の内底部２６ａ間には、圧縮コイルバネからなる付勢部材２７が介装されており、該付勢部材２７によって摺動子２２が常時上方向に付勢されている。また、前記摺動孔２３の一内側面２４ｃに対向する外郭ケース２１の後壁部２１ａには、その左右方向の中央部に狭幅状の案内長孔２１ｂが上下方向に沿って開口されており、該案内長孔２１ｂには摺動子２２の後部から突設されたストッパー片部２２ａが挿入されている。そして、前記付勢部材２７の付勢力による摺動子２２の上動時（図３（Ａ）参照）に、該ストッパー片部２２ａが案内長孔２１ｂの上端に当接することにより、摺動子２２の上動位置が規定されるようになっている。
【００２５】
さらに、各ロック杆受け具１５には、摺動子２２が下動する毎に、該摺動子２２を上動不能に保持するロック状態と、摺動子２２を上動可能とする非ロック状態とを交互に生じるカム機構が設けられている。該カム機構は、図６（Ａ）に示すように、摺動子２２の一側面に所定形状で形成されて、その上部位置に下方に窪む係止凹部２９が設けられたカム溝２８と、該カム溝２８内を摺動子２２の上下動に伴って相対的に移動する係合ピン３０とによって構成されている。ここで、係合ピン３０は、図５に示すように、バネ鋼線材によって略コ字形に形成され、その基部が外郭ケース２１の底板部２６に前後方向に回動可能に嵌合されており、係合ピン３０の上端には内方に向けて対向状に曲成された一対の係合部３１ａ，３１ｂが設けられている。また、摺動子２２の他側面には、図６（Ｂ）に示すように、前記カム溝２８と形状が若干異なるカム溝２８’が形成されており、摺動子２２の上下動に伴って該カム溝２８’内を係合ピン３０の係合部３１ｂが相対的に移動することによって、他方のカム溝２８内を係合ピン３０の係合部３１ａが円滑に移動するようになっている。
【００２６】
即ち、カム溝２８は、図６（Ａ）に示すように、摺動子２２の下動に伴って係合ピン３０の係合部３１ａが相対的に上昇する往路３２ａと、摺動子２２の上動に伴って係合ピン３０の係合部３１ａが相対的に降下する復路３２ｂとを備えているが、係合ピン３０の係合部３１ａが位置Ｐ1 から上昇する時に、往路３２ａと復路３２ｂの合流部３３で該係合部３１ａが復路３２ｂに進入しないように、カム溝２８’（図６（Ｂ）参照）の往路３４ａの壁面３５ａがカム溝２８の合流部３３より高い位置まで設けられており、これによって、係合部３１ａが位置Ｐ2 で往路３２ａ側に案内されるようになっている。また、位置Ｐ3 を経て位置Ｐ4 に達した係合ピン３０の係合部３１ａは、摺動子２２の上動に伴って相対的に降下して位置Ｐ5 で係止凹部２９に係止される。これにより摺動子２２を上動不能に保持するロック状態が得られる。そして、位置Ｐ5 から摺動子２２の下動に伴って係合ピン３０の係合部３１ａが上昇する時、カム溝２８’（図６（Ｂ）参照）の上部に設けられた昇り勾配の傾斜面３５ｂの案内作用によって、係合ピン３０の係合部３１ｂがカム溝２８’の復路３４ｂの上端に移動することにより、該移動に連動して係合ピン３０の係合部３１ａが位置Ｐ6 に移動する。そして、摺動子２２の上動に伴って係合ピン３０の係合部３１ａが復路３２ｂを降下して位置Ｐ1 に戻るのである。尚、上述した摺動子２２の下動は、摺動子２２がロック杆１４の鉤部１８によって下方に押されることによって生じ、摺動子２２の上動は、付勢部材２７（図３（Ａ）参照）の付勢力によって生じるものである。
【００２７】
このように、カム機構は、摺動子２２が下動する毎に、カム溝２８の係止凹部２９に係合ピン３０の係合部３１ａが係止されて摺動子２２を上動不能に保持するロック状態と、係止凹部２９から係合ピン３０の係合部３１ａが外れて摺動子２２を上動可能とする非ロック状態とを交互に生じるように構成されている。
【００２８】
また、各ロック杆受け具１５は、図３に示すように、本体２の前縁部の天壁部３６に夫々開口された前後方向に長い矩形状の長孔３７に外郭ケース２１が嵌入されており、該外郭ケース２１の左右側壁に形成された係止段部３８，３８（図５参照）と、外郭ケース２１の左右側壁から外方に突設された抜け止め突起３９，３９間に長孔３７の左右の孔縁を挿通させることによって、各ロック杆受け具１５が前後方向に摺動可能に設けられている。各外郭ケース２１の後面には、図７に示すように、略Ｕ字形に曲成されたバネ鋼線材からなる付勢部材４０の湾曲部が当接されており、該付勢部材４０によって、各ロック杆受け具１５が長孔３７の前端位置に偏倚するように常時付勢されている。各ロック杆受け具１５の偏倚方向と反対側となる各外郭ケース２１の後方位置には、二本の接点アーム４２ａ，４２ｂを備えたマイクロスイッチ４１が夫々配設されている。該接点アーム４２ａ，４２ｂは所定の接点間隔を介して前後方向で対向しており、図３（Ｂ）に示すように、ロック杆受け具１５が付勢部材４０の付勢力に抗して後方向に移動すると、外郭ケース２１の後壁面に押されて接点アーム４２ａが接点アーム４２ｂに接触し、マイクロスイッチ４１がＯＮ作動するようになっている。
【００２９】
また、上述したように、常時は付勢部材４０によって長孔３７の前端位置に偏倚している各ロック杆受け具１５は、図３（Ａ）に示すように、ロック杆１４が上方から押し下げられる際に、弾性鉤状片２５に対向する摺動子２２の上端角部４３に、ロック杆１４の案内傾斜面２０が当接する位置関係で配設されている。これにより、各ロック杆受け具１５に各ロック杆１４が押し込まれると該ロック杆１４の案内傾斜面２０に押圧されて各ロック杆受け具１５が後方向に移動するように設けられている。
【００３０】
かかる構成にあって、図１に示すように、押圧ハンドル３を上方に回動させて、本体２の側面の電源スイッチ１７をＯＮにした後、食品等の被包装物を収納した真空袋（図示省略）内に吸気ノズル１１を挿入した状態で、該真空袋の開口部を本体２の前縁部上面に載置し、次いで押圧ハンドル３を下方に回動させて真空袋を介して本体２の前縁部上面に押圧すると、押圧ハンドル３に配設された左右の各ロック杆１４，１４が、本体２に配設された各ロック杆受け具１５，１５内に押し込まれる。そして、これに伴って、各ロック杆１４，１４の先端部によって下方に押される摺動子２２（図３参照）が付勢部材２７の付勢力に抗して下動することにより、各摺動子２２の弾性鉤状片２５が夫々摺動孔２３の下部の一内側面２４ｃに押圧されてロック杆１４の鉤部１８に係合される（図３（Ｂ）参照）。また、各摺動子２２の下動によって、カム機構を構成するカム溝２８の係止凹部２９に係合ピン３０が係止されて各摺動子２２が上動不能に保持される。これにより、本体２の前縁部上面の被押圧部６と押圧ハンドル３のクッション部材１２ａ，１２ｂ間に真空袋の開口部が挟持された状態で、各ロック杆１４，１４が各ロック杆受け具１５，１５によってロックされ、本体２に対する押圧ハンドル３の押圧状態が保持される。
【００３１】
また、上記のように、各ロック杆受け具１５，１５内に各ロック杆１４，１４が押し込まれると、該ロック杆１４，１４に押圧されて各ロック杆受け具１５，１５が後方向に移動することにより、各ロック杆受け具１５，１５の後方位置に配設されているマイクロスイッチ４１，４１が夫々ＯＮ作動して、その出力信号が図示しない制御装置に入力される。そして、この信号入力を始動契機として、制御装置によるシーケンス制御が開始される。このシーケンス制御によって、図示しない真空ポンプが所定時間駆動されて吸気ノズル１１から真空袋内の空気が吸引され、次いで吸気ノズル１１が後退駆動されて真空袋の開口部から引き抜かれた後、ヒーター線７に所定時間通電されることにより、真空袋の開口部が溶着されて封止される。然る後、所定時間の冷却に移り、冷却が終了すると図示しないブザーからアラーム音が発生して封止作業が終了したことが報知される。
【００３２】
そして、上記のように封止作業が終了した後、押圧ハンドル３を再度下方に押圧すると、各ロック杆１４，１４の先端部によって押される摺動子２２（図３参照）が下動してカム機構を構成するカム溝２８の係止凹部２９から係合ピン３０が外れて各摺動子２２が上動可能となり、付勢部材２７の付勢力によって各摺動子２２が上動することによってロック杆１４の鉤部１８と弾性鉤状片２５との係合が解除される（図３（Ａ）参照）。そして、押圧ハンドル３は図示しないコイルバネの付勢力によって上方に回動し、その回動に伴って各ロック杆１４，１４が各ロック杆受け具１５，１５から離脱する。尚、封止した真空袋は、この状態で真空包装器１から取り外すことができる。
【００３３】
ここで、上記のように各ロック杆１４，１４が各ロック杆受け具１５，１５から離脱すると、該ロック杆１４，１４に押圧されていた各ロック杆受け具１５，１５が付勢部材４０，４０の付勢力によって前方偏倚位置に戻り、マイクロスイッチ４１，４１が夫々ＯＦＦとなる。そして、この２個のマイクロスイッチ４１，４１からの信号入力が共になくなると制御装置の制御によって吸気ノズル１１が進出駆動され、図１に示すように、該吸気ノズル１１が被押圧部６を越えて前方に突出されて、次の封止作業の待機状態となる。
【００３４】
このように、押圧ハンドル３が上方に回動し、２個のマイクロスイッチ４１，４１からの信号入力が共になくなってから吸気ノズル１１を前方に突出させるように制御することによって、片方のロック杆１４だけの係合が解除された状態で、吸気ノズル１１を進出駆動することにより生じる不具合が防止されている。即ち、該吸気ノズル１１が押圧ハンドル３のクッション部材１２ａ，１２ｂに後方から衝当して該クッション部材１２ａ，１２ｂを損傷させることがないようにしている。
【００３５】
尚、上記実施例にあっては、前後方向に摺動可能に設けられた各ロック杆受け具１５，１５を、付勢部材４０，４０の付勢力によって前方向に付勢するとともに、各ロック杆受け具１５，１５の後方位置にマイクロスイッチ４１，４１を配設しているが、これに代えて、付勢部材４０，４０の付勢力によって各ロック杆受け具１５，１５を後方向に付勢し、かつ各ロック杆受け具１５，１５の前方位置にマイクロスイッチ４１，４１を配設して、ロック杆１４，１４によって各ロック杆受け具１５，１５を前方に移動させて各マイクロスイッチをＯＮ作動させるように設けることも可能である。
【００３６】
また、上記実施例では、真空袋内を脱気した後、開口部を封止する作動態様について説明したが、本体２のコントロール部１６のボタン操作によって、開口部を封止する作動のみを行うように真空包装器１の作動態様を切り換えることも可能である。
【００３７】
このように、本考案は、押圧ハンドル３の押圧状態を保持するロック手段を、押圧ハンドル３の下面の左右両側位置から夫々下方に突設された左右のロック杆１４，１４と、各ロック杆１４，１４に対応する本体２の上面位置に夫々配設され、ロック杆１４，１４が押し込まれる毎に、該ロック杆１４，１４を係止する係止状態と、該ロック杆１４，１４の係止を解除する解除状態とに順に変換される動作を生じる左右のロック杆受け具１５，１５とによって構成したから、本体２に配設されるロック杆受け具１５，１５を小型化することができ、従来の電磁マグネットを配設する場合に比して、ロック杆受け具１５，１５を小スペースで配設することができる。また、該ロック杆受け具１５，１５を無電力で動作させることができる。これにより、真空包装器１のコンパクト化と省エネルギー化を実現することができる。また、ロック杆１４，１４及びロック杆受け具１５，１５は安価に製作することができるため、電磁マグネットを用いる場合に比して真空包装器１の製造コストを低減することができる。
【００３８】
また、各ロック杆受け具１５，１５を前後方向に摺動可能に設けるとともに、常時は一方向に偏倚するように付勢する一方、各ロック杆受け具１５，１５の偏倚方向と反対側にマイクロスイッチ４１，４１を夫々配設し、各ロック杆受け具１５，１５にロック杆１４，１４が押し込まれると該ロック杆１４，１４に押圧されて各ロック杆受け具１５，１５が偏倚方向と反対方向に移動して、各マイクロスイッチ４１，４１をＯＮ作動させるように設けたことにより、簡単な構成で各ロック杆受け具１５，１５の前後方向の摺動によって各マイクロスイッチ４１，４１を自動的にＯＮ／ＯＦＦ作動させることができ、別途複雑なマイクロスイッチ４１，４１の作動機構を設ける必要がないため、これによっても真空包装器１のコンパクト化ができる。
【符号の説明】
【００３９】
１  真空包装器
２  本体
３  押圧ハンドル
６  被押圧部
７  ヒーター線
１１  吸気ノズル
１２ａ，１２ｂ  クッション部材
１４  ロック杆（ロック手段）
１５  ロック杆受け具（ロック手段）
１８  鉤部
１９ａ  傾斜面
１９ｂ  係合面
２１  外郭ケース
２２  摺動子
２３  摺動孔
２４ａ  挿入口
２４ｂ  押圧傾斜面
２４ｃ  一内側面
２５  弾性鉤状片
２６ａ  内底部
２７  付勢部材
２８  カム溝（カム機構）
２９  係止凹部
３０  係合ピン（カム機構）
４１  マイクロスイッチ
【図１】
0003166827.tif 000003
【図２】
0003166827.tif 000004
【図３】
0003166827.tif 000005
【図４】
0003166827.tif 000006
【図５】
0003166827.tif 000007
【図６】
0003166827.tif 000008
【図７】
0003166827.tif 000009